(57)【要約】【課題】モータの回転動力をカップリングによってパン容器の回転軸に伝達する構成を備え、カップリングによる動力伝達を安定して行える自動製パン器を提供する。【解決手段】自動製パン器１は、モータ５０、６０の回転動力をパン容器８０の底部に設けられる回転軸８２に伝達するために焼成室３０の底部に設けられる本体側接続部１７と、回転軸８２の一方の先端部に設けられ、パン容器８０が焼成室３０に収容されることによって本体側接続部１７とともにカップリングを構成する容器側接続部８４と、を備える。本体側接続部１７は、支持部１７ａと支持部１７ａから突出する突出部１７ｂとを有し、容器側接続部８４は腕部８４ｂを有し、モータ５０、６０の駆動により回転軸８２が回転されている状態において、突出部１７ｂと腕部８４ｂとは、突出部１７ｂに対して腕部８４ｂの方が下となる部分が生じるように重なり合って係合する。【選択図】図７
2012019819.tif 000002
【特許請求の範囲】
【請求項１】
パン原料が投入されるパン容器を本体部の焼成室に出し入れ自在に設けられ、前記パン容器を焼き型としてパンを焼き上げる自動製パン器であって、
前記本体部に設けられるモータと、
前記パン容器の底部に設けられる回転軸と、
前記モータの回転動力を前記回転軸に伝達するために前記焼成室の底部に設けられる本体側接続部と、
前記回転軸の前記パン容器の底部から外部に突出する側の先端部に設けられ、前記パン容器が前記焼成室に収容されることによって前記本体側接続部とともにカップリングを構成する容器側接続部と、を備え、
前記本体側接続部は、支持部と該支持部から突出する突出部とを有し、
前記容器側接続部は、前記回転軸に対して略垂直な方向に延びる腕部を有し、
前記モータの駆動により前記回転軸が回転されている状態において、前記突出部と前記腕部とは、前記突出部に対して前記腕部の方が下となる部分が生じるように重なり合って係合することを特徴とする自動製パン器。
【請求項２】
前記突出部と前記腕部とのうち、いずれか一方は凸部を、他方は凹部を有するように設けられ、
前記モータの駆動により前記回転軸が回転されている状態において、前記突出部と前記腕部とは、前記凸部と前記凹部とが嵌め合って係合することを特徴とする請求項１に記載の自動製パン器。
【請求項３】
前記パン容器の底部外面側には、前記回転軸及び前記容器側接続部を囲むように配置され、外面に第１の係合部を有する筒状体が設けられており、
前記焼成室の底部には、前記本体側接続部の周りに第２の係合部が設けられており、
前記焼成室に収容された前記パン容器は、前記第１の係合部と前記第２の係合部との係合によって、前記回転軸と略垂直な平面方向の位置決めがなされていることを特徴とする請求項１又は２に記載の自動製パン器。
【請求項４】
前記パン容器を前記焼成室に収容する際に前記腕部が前記突出部に当接した場合に、前記支持部を回転させる力が発生するように、前記突出部には傾斜面が形成されていることを特徴とする請求項１から３のいずれかに記載の自動製パン器。
【請求項５】
前記回転軸の回転によって、穀物粒を粉砕するための粉砕ブレードと、パン生地を練り上げるための混練ブレードとが回転可能に設けられていることを特徴とする請求項１から４のいずれかに記載の自動製パン器。
【請求項６】
前記モータには、前記混練ブレードを低速回転するために設けられる第１のモータと、前記粉砕ブレードを高速回転するために設けられる第２のモータと、が含まれることを特徴とする請求項５に記載の自動製パン器。
【請求項７】
前記回転軸の回転方向は、前記粉砕ブレードを用いて穀物粒を粉砕する場合と、前記混練ブレードを用いてパン生地を練り上げる場合とで逆回転となるように設けられ、
前記回転軸がいずれの方向に回転されている場合においても、前記突出部と前記腕部とは、前記突出部に対して前記腕部の方が下となる部分が生じるように重なり合って係合することを特徴とする請求項５又は６に記載の自動製パン器。
【発明の詳細な説明】
【技術分野】
【０００１】
本発明は、主として一般家庭で使用される自動製パン器に関する。
【背景技術】
【０００２】
市販の家庭用自動製パン器は、パン原料を入れたパン容器を本体内の焼成室に入れ、パン容器内のパン原料を混練ブレードで混練して練り上げ（練り工程）、発酵工程を経た後に、パン容器をそのままパン焼き型としてパンを焼き上げる（焼成工程）仕組みのものが一般的である（例えば、特許文献１参照）。
【０００３】
このような自動製パン器を用いてパンを製造する場合、小麦や米などの穀物を製粉した粉（小麦粉、米粉等）や、そのような製粉した粉に各種の補助原料を混ぜたミックス粉を入手し、これを製パン原料として用いることによってパンを製造するのが一般的であった。
【０００４】
しかしながら、一般家庭においては米粒に代表されるように、粉の形態ではなく粒の形態で穀物を所持していることがある。このために、自動製パン器を用いて穀物粒から直接パンを製造することができれば非常に便利である。このようなことから、本出願人らは、穀物粒を出発原料としてパンを製造する方法を開発している（特許文献２参照）。
【０００５】
このパンの製造方法では、まず、穀物粒を液体と混合し、この混合物を粉砕ブレードによって粉砕する（粉砕工程）。そして、粉砕工程を経て得られたペースト状の粉砕粉を含むパン原料を混練ブレードによって生地に練り上げ（練り工程）、生地を発酵（発酵工程）させた後、パンに焼き上げる（焼成工程）。
【先行技術文献】
【特許文献】
【０００６】
【特許文献１】特開２０００−１１６５２６号公報
【特許文献２】特開２０１０−３５４７６号公報
【発明の概要】
【発明が解決しようとする課題】
【０００７】
本出願人らは、穀物粒を出発原料としてパンを焼き上げる、上述のパンの製造方法を一台の自動製パン器で行えるように、新しい仕組みを備えた自動製パン器の開発を行っている。この新しい仕組みを備えた自動製パン器では、焼き型として使用されるパン容器を焼成室内に収容し、このパン容器内で穀物粒を粉砕することを検討している。
【０００８】
具体的には、パン容器の底部に配置される１つのブレード回転軸の回転によって粉砕ブレード及び混練ブレードを回転する構成を検討している。この構成では、パン容器が本体（焼成室）に収容された場合に、ブレード回転軸にモータの回転を伝達するためのカップリングが必要となる。このカップリングは、例えば、原動軸（本体内に配置され、モータの駆動で回転する回転軸）の上端に設けられる本体側接続部と、ブレード回転軸の下端に設けられる容器側接続部と、で構成することができる。
【０００９】
しかしながら、上述のカップリングを採用する自動製パン器では、穀物粒を粉砕する粉砕工程やパン生地を練り上げる練り工程において、パン容器に不要な力が加わって、例えばパン容器が上側に浮き上がってしまうことがある。この結果、２つの接続部間の連結が外れて回転軸を安定して回転させることができないといった事態が起こる場合がある。粉砕工程では粉砕効率を良くする等の目的でブレード回転軸を高速回転するために、練り工程と同様にパン容器に不要な力が加わって前述の浮き上がり等が発生し易い。このため、粉砕工程と練り工程とを実施する新しい仕組みを備えた自動製パン器では、２つの接続部間の連結外れが生じる可能性が高く、その対策が必要となる。
【００１０】
このため、例えばパン容器を焼成室に収容するにあたって、パン容器と本体との間で公知のバヨネット結合が得られるように構成し、粉砕工程等においてパン容器に不要な力が加わってもパン容器が動かない（例えば浮き上がらない）ようにすることが考えられる（バヨネット結合については例えば特許文献２参照）。この構成を採用する場合には、通常、パン容器を焼成室に収容する場合のパン容器のひねり方向は、ブレード回転軸の回転によってパン容器８０が外れないように、ブレード回転軸（混練ブレードが取り付けられる）を回転させる方向に合わせる。
【００１１】
しかし、１つのブレード回転軸の回転によって粉砕ブレード及び混練ブレードを回転する構成を採用するにあたって、本出願人は、粉砕ブレードを回転させる場合と、混練ブレードを回転させる場合とで逆回転となる構成の採用を考えている。この場合、上述のバヨネット結合を採用しても、粉砕工程と練り工程のうち、いずれか一方においてカップリングの連結が不安定となるといった問題が残る。
【００１２】
そこで、本発明の目的は、モータの回転動力をカップリングによってパン容器の回転軸に伝達する構成を備え、カップリングによる動力伝達を安定して行える自動製パン器を提供することである。また、本発明の他の目的は、穀物粒からパンを焼き上げられる便利な仕組みを備えた自動製パン器を安定して動作させられるようにすることである。
【課題を解決するための手段】
【００１３】
上記目的を達成するために本発明の自動製パン器は、パン原料が投入されるパン容器を本体部の焼成室に出し入れ自在に設けられ、前記パン容器を焼き型としてパンを焼き上げる自動製パン器であって、前記本体部に設けられるモータと、前記パン容器の底部に設けられる回転軸と、前記モータの回転動力を前記回転軸に伝達するために前記焼成室の底部に設けられる本体側接続部と、前記回転軸の前記パン容器の底部から外部に突出する側の先端部に設けられ、前記パン容器が前記焼成室に収容されることによって前記本体側接続部とともにカップリングを構成する容器側接続部と、を備え、前記本体側接続部は、支持部と該支持部から突出する突出部とを有し、前記容器側接続部は、前記回転軸に対して略垂直な方向に延びる腕部を有し、前記モータの駆動により前記回転軸が回転されている状態において、前記突出部と前記腕部とは、前記突出部に対して前記腕部の方が下となる部分が生じるように重なり合って係合することを特徴としている。
【００１４】
本構成においては、パン容器に設けられる回転軸が回転されている状態でパン容器に不要な力が加わってパン容器が浮き上がろうとしても、容器側接続部の腕部が本体側接続部の突出部に引っ掛かるために、前述の浮き上がりが生じ難くなっている。このために、本構成の自動製パン器では、パン容器の浮き上がりによってカップリングの連結（突出部と腕部との係合）が外れるといった事態を抑制できる。
【００１５】
上記構成の自動製パン器の具体的な構成として、前記突出部と前記腕部とのうち、いずれか一方は凸部を、他方は凹部を有するように設けられ、前記モータの駆動により前記回転軸が回転されている状態において、前記突出部と前記腕部とは、前記凸部と前記凹部とが嵌め合って係合することとしてもよい。
【００１６】
上記構成の自動製パン器において、前記パン容器の底部外面側には、前記回転軸及び前記容器側接続部を囲むように配置され、外面に第１の係合部を有する筒状体が設けられており、前記焼成室の底部には、前記本体側接続部の周りに第２の係合部が設けられており、前記焼成室に収容された前記パン容器は、前記第１の係合部と前記第２の係合部との係合によって、前記回転軸と略垂直な平面方向の位置決めがなされているのが好ましい。
【００１７】
本構成によれば、第１の係合部と第２の係合部との係合によってパン容器は、回転軸と略垂直な平面方向（例えば水平方向）の位置決めがなされることになるので、パン容器に設けられる回転軸が回転されている状態でパン容器に不要な力が加わっても、パン容器はほとんど回転されない。このため、本構成の自動製パン器では、回転軸が回転している状態でパン容器に不要な力が加わってもパン容器はほとんど動かず（浮き上がりもほとんど生じない）、カップリングによる動力伝達が安定したものとなることを期待できる。
【００１８】
上記構成の自動製パン器において、前記パン容器を前記焼成室に収容する際に前記腕部が前記突出部に当接した場合に、前記支持部を回転させる力が発生するように、前記突出部には傾斜面が形成されているのが好ましい。本構成によれば、パン容器を焼成室に収容する場合に、腕部が突出部に当接しても、そのまま押し込んでパン容器をセットすることが可能になる。このため、本構成によればユーザにとって使い勝手がよい自動製パン器の提供が可能になる。
【００１９】
上記構成の自動製パン器において、前記回転軸の回転によって、穀物粒を粉砕するための粉砕ブレードと、パン生地を練り上げるための混練ブレードとが回転可能に設けられていることとしてもよい。このような構成では、粉砕工程及び練り工程が行われるために、カップリングによって安定した動力伝達が行われる構成の要求が強くなる。この点、本構成では、上述のようにパン容器の浮き上がり等を抑制可能となっており、この要求を満たすことが可能である。なお、本構成の自動製パン器は、これ一台で、製パン工程の途中でブレード交換することなく、穀物粒からパンを焼き上げられるためにユーザにとって非常に便利な仕組みの自動製パン器であるといえる。
【００２０】
上記構成の自動製パン器において、前記モータには、前記混練ブレードを低速回転するために設けられる第１のモータと、前記粉砕ブレードを高速回転するために設けられる第２のモータと、が含まれることとしてもよい。粉砕工程時の粉砕ブレードの回転（高速回転）と、練り工程時の混練ブレードの回転（高トルク、低速回転）とは質の異なる回転が要求される。このために、粉砕ブレードと混練ブレードとを備える自動製パン器は、本構成のように、各ブレードを回転させるためのモータは異なるものとするのが好ましい。
【００２１】
上記構成の自動製パン器において、前記回転軸の回転方向は、前記粉砕ブレードを用いて穀物粒を粉砕する場合と、前記混練ブレードを用いてパン生地を練り上げる場合とで逆回転となるように設けられ、前記回転軸がいずれの方向に回転されている場合においても、前記突出部と前記腕部とは、前記突出部に対して前記腕部の方が下となる部分が生じるように重なり合って係合することとしてもよい。
【００２２】
本構成のように、粉砕ブレードを用いる場合と混練ブレードを用いる場合とで回転軸の回転方向を変える構成を採用することにより、穀物粒を効率良く粉砕して、穀物粒からパンを製造できる便利な仕組みを備えた自動製パン器を低コストで提供可能となる。そして、本構成では、回転軸がいずれの方向に回転する場合でもパン容器の浮き上がりを抑制でき、穀物粒からパンを焼き上げられる便利な仕組みを備えた自動製パン器を安定して動作させることが可能になる。
【発明の効果】
【００２３】
本発明によると、モータの回転動力をカップリングによってパン容器の回転軸に伝達する構成を備え、カップリングによる動力伝達を安定して行える自動製パン器を提供できる。また、本発明によれば、穀物粒からパンを焼き上げられる便利な仕組みを備えた自動製パン器を安定して動作させることが可能となる。このため、本発明によれば、家庭でのパン製造をより身近なものとして、家庭でのパン作りが盛んになることが期待できる。
【図面の簡単な説明】
【００２４】
【図１】本実施形態の自動製パン器の外観構成を示す概略斜視図
【図２】本実施形態の自動製パン器の本体内部の構成を説明するための模式図
【図３】本実施形態の自動製パン器が備える第１の動力伝達部に含まれるクラッチについて説明するための図
【図４】本実施形態の自動製パン器における、パン容器が収容された焼成室及びその周辺の構成を模式的に示す図
【図５】本実施形態の自動製パン器が備える焼成室の底部の構成を説明するための図
【図６】本実施形態の自動製パン器が備えるパン容器を下側から見た場合の概略平面図
【図７】本実施形態の自動製パン器が備える本体側接続部と容器側接続部との関係について説明するための図
【図８】本実施形態の自動製パン器が備えるブレードユニットの構成を示す概略斜視図
【図９】本実施形態の自動製パン器が備えるブレードユニットの構成を示す概略分解斜視図
【図１０】本実施形態の自動製パン器が備えるブレードユニットの構成を示す概略側面図及び概略断面図
【図１１】本実施形態の自動製パン器が備えるブレードユニットを下から見た場合の概略平面図（ガードが取り外された場合の図）
【図１２】本実施形態の自動製パン器が備えるブレードユニットの動作を説明するための図で、パン容器を上から見た場合の図
【図１３】本実施形態の自動製パン器の構成を示すブロック図
【図１４】本実施形態の自動製パン器によって実行される米粒用製パンコースの流れを示す模式図
【発明を実施するための形態】
【００２５】
以下、本発明の自動製パン器の実施形態について、図面を参照しながら詳細に説明する。なお、本明細書に登場する具体的な時間や温度等はあくまでも例示であり、本発明の内容を限定するものではない。
（自動製パン器の構成）
図１は、本実施形態の自動製パン器の外観構成を示す概略斜視図である。図１に示すように、略直方体形状に設けられる自動製パン器１の本体１０（その外殻は例えば金属や合成樹脂等によって形成される）の上面の一部には操作部２０が設けられている。この操作部２０は、スタートキー、取り消しキー、タイマーキー、予約キー、パンの製造コース（米粒を出発原料に用いてパンを製造するコース、米粉を出発原料に用いてパンを製造するコース、小麦粉を出発原料に用いてパンを製造するコース等）を選択する選択キー等の操作キー群と、時間、操作キー群によって設定された内容、エラー等を表示する表示部とによって構成されている。なお、表示部は、例えば、液晶表示パネル等によって構成される。
【００２６】
また、本体１０内部には、詳細は後述するパン容器８０が収容される焼成室３０が設けられている。この焼成室３０は、例えば板金からなる底壁３０ａ及び４つの側壁３０ｂ（後述の図４も参照）を有する平面形状略矩形の箱形状に構成され、その上面が開口している。この焼成室３０は、本体１０上部に設けられる蓋４０によって開閉可能となっている。蓋４０は、図示しない蝶番軸で本体１０の背面側に取り付けられており、その蝶番軸を支点として回動することで、焼成室３０の開閉が可能となっている。なお、図１は、この蓋４０が開かれた状態を示している。
【００２７】
この蓋４０には、焼成室３０内を覗けるように、例えば耐熱ガラスからなる覗き窓４１が設けられている。また、蓋４０には、パンの製造工程の途中で一部のパン原料を自動投入できるように、パン原料収納容器４２が取り付けられている。パン原料収納容器４２は、平面形状略長方形の箱形状の容器本体４２ａと、容器本体４２ａに対して回動可能に設けられて、容器本体４２ａの開口を開閉する容器蓋４２ｂとを備えている。また、パン原料収納容器４２は、容器蓋４２ｂを外面（下面）側から支えて容器本体４２ａの開口が閉じられた状態を維持できるように設けられると共に、外部からの力によって動かされて容器蓋４２ｂとの係合が解除されるように設けられる可動フック４２ｃも備えている。
【００２８】
操作部２０下部側の本体１０内には図示しない自動投入用ソレノイドが設けられており、このソレノイドが駆動すると、そのプランジャーが、本体１０の蓋４０に隣接する壁面１０ａに設けられる開口１０ｂから突出するようになっている。そして、この突出したプランジャーによって可動する可動部材（図示せず）によって可動フック４２ｃが動かされ、容器蓋４２ｂと可動フック４２ｃとの係合が外れて容器蓋４２ｂが回動し、容器本体４２ａの開口が開かれた状態となる。なお、図１において、容器本体４２ａの開口が開かれた状態が示されている。
【００２９】
容器本体４２ａ及び容器蓋４２ｂは、容器内に収納される粉体パン原料（例えばグルテンやドライイースト等）が容器内に残留し難いようにアルミニウム等の金属で設けられるのが好ましい。そして、それらの内面はシリコンやフッ素等のコーティング層で覆われるのが好ましく、凹凸がなく滑らかに形成されるのが好ましい。
【００３０】
また、米粒等の穀物粒を粉砕する際に発生する蒸気等が容器本体４２ａ内に入り込むと、パン原料が容器内面に付着し易くなって好ましくない。このために、容器内に前述の蒸気等が入り込まないように、容器本体４２ａの開口側縁には鍔部（フランジ部）が設けられて、この鍔部と容器蓋４２ｂとの間にはパッキン（シール部材）４２ｄが介在するようになっている。
【００３１】
図２は、本実施形態の自動製パン器の本体内部の構成を説明するための模式図である。図２は、自動製パン器１を上側から見た場合を想定しており、図の下側が自動製パン器１の正面側、図の上側が背面側である。図２に示すように、自動製パン器１には、焼成室３０の右横に練り工程で用いられる低速・高トルクタイプの混練モータ５０が固定配置され、焼成室３０の後ろ側に粉砕工程で用いられる高速回転タイプの粉砕モータ６０が固定配置されている。混練モータ５０及び粉砕モータ６０はいずれも竪軸である。なお、混練モータ５０は本発明の第１のモータの実施形態であり、粉砕モータ６０は本発明の第２のモータの実施形態である。
【００３２】
混練モータ５０の上面から突出する出力軸５１には第１のプーリ５２が固定される。この第１のプーリ５２は、第１のベルト５３によって、その径が第１のプーリ５２よりも大きく形成されると共に、第１の回転軸５４の上部側に固定される第２のプーリ５５に連結されている。第１の回転軸５４の下部側には、その回転中心が第１の回転軸５４とほぼ同一となるように第２の回転軸５７が設けられている。なお、第１の回転軸５４及び第２の回転軸５７は、本体１０内部に回転可能に支持されている。また、第１の回転軸５４と第２の回転軸５７との間には、動力伝達と動力遮断を行うクラッチ５６が設けられている。このクラッチ５６の構成については後述する。
【００３３】
第２の回転軸５７の下部側には第３のプーリ５８が固定されている。第３のプーリ５８は、第２のベルト５９によって、焼成室３０の下部側に設けられると共に原動軸１１に固定される第１の原動軸用プーリ１２（第３のプーリ５８とほぼ同一の径を有する）に連結されている。混練モータ５０自身が低速・高トルクタイプであり、その上、第１のプーリ５２の回転が第２のプーリ５５によって減速回転される（例えば１／５の速度に減速される）。このため、クラッチ５６が動力伝達を行う状態で混練モータ５０を駆動すると、原動軸１１は低速で回転する。
【００３４】
なお、第１のプーリ５２、第１のベルト５３、第１の回転軸５４、第２のプーリ５５、クラッチ５６、第２の回転軸５７、第３のプーリ５８、第２のベルト５９、及び第１の原動軸用プーリ１２で構成される動力伝達部のことを、以下において第１の動力伝達部と表現することがある。
【００３５】
粉砕モータ６０の下面から突出する出力軸６１には、第４のプーリ６２が固定されている。この第４のプーリ６２は、第３のベルト６３によって、原動軸１１に固定される第２の原動軸用プーリ１３（第１の原動軸用プーリ１２より下側で固定される）に連結されている。第２の原動軸用プーリ１３は第４のプーリ６２とほぼ同一の径を有する。粉砕モータ６０には高速回転のものが選定され、第４のプーリ６２の回転は第２の原動軸用プーリ１３においてほぼ同一速度で維持されるために、粉砕モータ６０を駆動すると、原動軸１１は高速回転（例えば７０００〜８０００ｒｐｍ）を行う。
【００３６】
なお、第４のプーリ６２、第３のベルト６３、及び第２の原動軸用プーリ１３で構成される動力伝達部のことを、以下において第２の動力伝達部と表現することがある。第２の動力伝達部は、クラッチを有さない構成であり、粉砕モータ６０の出力軸６１と原動軸１１とを常時動力伝達可能に連結する。
【００３７】
図３は、本実施形態の自動製パン器が備える第１の動力伝達部に含まれるクラッチについて説明するための図である。図３は、図２の矢印Ｘ方向に沿って見た場合を想定した図である。なお、図３（ａ）はクラッチ５６が動力遮断を行う状態を示し、図３（ｂ）はクラッチ５６が動力伝達を行う状態を示す。
【００３８】
図３に示すように、クラッチ５６は、第１のクラッチ部材５６１と第２のクラッチ部材５６２とを有する。そして、第１のクラッチ部材５６１に設けられる爪５６１ａと、第２のクラッチ部材５６２に設けられる爪５６２ａとが噛み合う場合（図３（ｂ）の状態）に動力伝達を行い、２つの爪５６１ａ、５６２ｂが噛み合わない場合（図３（ａ）の状態）に動力遮断を行うようになっている。すなわち、クラッチ５６は噛み合いクラッチとなっている。
【００３９】
なお、本実施形態では、２つのクラッチ部材５６１、５６２のそれぞれには、周方向（第１のクラッチ部材５６１を下から平面視した場合、或いは、第２のクラッチ部材５６２を上から平面視した場合を想定）にほぼ等間隔に並ぶ６つの爪５６１ａ、５６２ａが設けられているが、この爪の数は適宜変更してもよい。また、爪５６１ａ、５６２ａの形状は、好ましい形状を適宜選択すればよい。
【００４０】
第１のクラッチ部材５６１は、抜け止め対策を施された上で、第１の回転軸５４に、その軸方向（図３において上下方向）に摺動可能であると共に、相対回転不能に取り付けられている。第１の回転軸５４の第１のクラッチ部材５６１の上部側には、バネ７１が遊嵌されている。このバネ７１は、第１の回転軸５４に設けられるストッパ部５４ａと第１のクラッチ部材５６１とに挟まれるように配置されており、第１のクラッチ部材５６１を下側に向けて付勢している。一方、第２のクラッチ部材５６２は、第２の回転軸５７の上端に固定されている。
【００４１】
クラッチ５６の切り替え（動力伝達状態と、動力遮断状態の切り替え）は、第１のクラッチ部材５６１から固定状態で延出するアーム部７２と、永久磁石７３ａが内蔵された自己保持型のソレノイド（クラッチ用ソレノイド）７３と、を用いて行われる。ソレノイド７３のプランジャー７３ｂは、その先端部（図３においては下部側が該当）がアーム部７２に設けられる取付部７２ａに固定された状態となっている。アーム部７２（取付部７２ａを含む）は金属で形成されているために、永久磁石７３ａに吸着可能となっている。
【００４２】
図３（ａ）の状態から、ソレノイド７３に、永久磁石７３ａの磁界を打ち消すように電圧を印加すると、永久磁石７３ａのアーム部７２（より正確には取付部７２ａ）を吸着する力が低下し、バネ７１の付勢力によって第１のクラッチ部材５６１が下側に押し下げられる。これにより、第１のクラッチ部材５６１の爪５６１ａと、第２のクラッチ部材５６２の爪５６２ａとの噛み合いが得られ、クラッチ５６は動力伝達を行うようになる（図３（ｂ）の状態となる）。この噛み合いが得られた状態は、バネ７１の付勢力によって維持されるために、第１のクラッチ部材５６１を引き下げるための駆動を行った後は、ソレノイド７３はオフとされる。また、この噛み合いが得られた状態では、アーム部７２が引き下がるために、ソレノイド７３のプランジャー７３ｂは、ハウジング７３ｃからの突出量（下側への突出量）が増した状態となっている。
【００４３】
一方、図３（ｂ）の状態から、ソレノイド７３に、プランジャー７３ｂを引き上げる方向の電圧（永久磁石７３ａの磁界を打ち消す方向とは逆方向の電圧）を印加すると、バネ７１の付勢力に反して、アーム部７２と共に第１のクラッチ部材５６１が上側に引き上げられる。これにより、第１のクラッチ部材５６１の爪５６１ａと、第２のクラッチ部材５６２の爪５６２ａとの噛み合いが解除され、クラッチ５６は動力遮断を行うようになる（図３（ａ）の状態となる）。この噛み合いが解除された状態においては、ソレノイド７３に内蔵される永久磁石７３ａがアーム部７２（より正確には取付部７２ａ）を吸着する。このために、第１のクラッチ部材５６１を引き上げるための駆動を行った後は、ソレノイド７３をオフとしても噛み合いが解除された状態を維持できるので、ソレノイド７３はオフされる。
【００４４】
粉砕モータ６０を駆動する際に、クラッチ５６が動力伝達を行う状態（図３（ｂ）の状態）であると、原動軸１１を高速回転させる回転動力が混練モータ５０の出力軸５１に伝達される。この場合、粉砕モータ６０が例えば８０００ｒｐｍで回転されるとすると、第１のプーリ５２と第２のプーリ５５との半径比（例えば１：５）によって、混練モータ５０の出力軸５１を４００００ｒｐｍで回転させようとすることになる。この場合、粉砕モータ６０に非常に大きな負荷が加わるために、粉砕モータ６０が破損する可能性がある。このため、粉砕モータ６０を駆動する際には、原動軸１１を高速回転させる回転動力が混練モータ５０の出力軸５１に伝達されないようにする必要があり、自動製パン器１は、動力伝達と動力遮断を行うクラッチ５６を第１の動力伝達部に含む構成となっている。
【００４５】
なお、上述のように自動製パン器１においては、第２の動力伝達部にはクラッチを設けない構成としているが、この場合には上述のようなモータ破損は生じない。これは、混練モータ５０を駆動しても原動軸１１は低速回転（例えば１８０ｒｐｍ等）されるのみであり、原動軸１１を回転させる回転動力が粉砕モータ６０の出力軸に伝達されても、混練モータ５０に大きな負荷が加わることはないからである。そして、このように第２の動力伝達部に敢えてクラッチを設けない構成とすることにより、自動製パン器の製造コストを抑制している。ただし、第２の動力伝達部にクラッチを設ける構成としても勿論構わない。
【００４６】
図４は、本実施形態の自動製パン器における、パン容器が収容された焼成室及びその周辺の構成を模式的に示す図である。図４は、自動製パン器１を正面側から見た場合の構成を想定しており、焼成室３０及びパン容器８０の構成については概ね断面図で示している。なお、パン原料が投入されるとともにパン焼き型として使用されるパン容器８０は、焼成室３０に対して出し入れ自在となっている。
【００４７】
図４に示すように、焼成室３０の内部にはシーズヒータ３１（加熱手段の一例）が、焼成室３０に収容されたパン容器８０を包囲するように配置され、パン容器８０内のパン原料（この表現にはパン生地を含む場合がある）を加熱できるようになっている。
【００４８】
また、焼成室３０の底壁３０ａの略中心にあたる箇所には、パン容器８０を支持するパン容器支持部１４（例えばアルミニウム合金のダイキャスト成型品からなる）が固定されている。このパン容器支持部１４は、焼成室３０の底壁３０ａから窪むように形成され、その窪みの形状は上から見た場合に略円形となっている。このパン容器支持部１４の中心には、上述の原動軸１１が底壁３０ａに対して略垂直となるように支持されている。
【００４９】
パン容器８０は例えばアルミニウム合金のダイキャスト成型品（その他、板金等で構成しても構わない）であり、バケツのような形状をしており、開口部側縁に設けられる鍔部８０ａに手提げ用のハンドル（図示せず）が取り付けられている。パン容器８０の水平断面は四隅を丸めた矩形である。また、パン容器８０の底部には、詳細は後述するブレードユニット９０の一部を収容する平面視略円形状の凹部８１が形成されている。
【００５０】
パン容器８０の底部中心には、垂直方向に延びるブレード回転軸８２（本発明の回転軸の実施形態）が、シール対策が施された状態で回転可能に支持されている。また、パン容器８０の底部外面側には筒状の台座８３（本発明の筒状体の実施形態）が設けられており、パン容器８０は、この台座８３がパン容器支持部１４に受け入れられた状態で、焼成室３０内に収容されるようになっている。なお、台座８３は、パン容器８０とは別に形成してもよいし、パン容器８０と一体的に形成してもよい。
【００５１】
ここで、図５から図７を参照しながら、パン容器８０が焼成室３０に収容された状態における、パン容器８０とパン容器支持部１４（焼成室３０の底部に設けられる）との関係について、更に詳細に説明する。図５は、本実施形態の自動製パン器が備える焼成室の底部の構成を説明するための図で、図５（ａ）はパン容器が焼成室に入れられる前の自動製パン器（蓋が開けられている）の構成を示す概略平面図、図５（ｂ）はパン容器支持部内に設けられる本体側接続部を拡大して示した概略斜視図である。図６は、本実施形態の自動製パン器が備えるパン容器を下側から見た場合の概略平面図である。図７は、本実施形態の自動製パン器が備える本体側接続部と容器側接続部との関係について説明するための図で、図７（ａ）は台座を取り除いたパン容器も含めて両者の関係を示す概略斜視図、図７（ｂ）は両者の関係を示す概略平面図である。
【００５２】
図５に示すように、パン容器支持部１４の内壁には、周方向にその中心位置が略等間隔に並ぶ、４つの係合溝１４ａ（本発明の第２の係合部の実施形態）が形成されている。また、図６に示すように、パン容器８０の台座８３の外面には、周方向にその中心位置が略等間隔に並ぶ、４つの係合突起８３ａ（本発明の第１の係合部の実施形態）が形成されている。
【００５３】
パン容器８０は、台座８３の係合突起８３ａがパン容器支持部１４の係合溝１４ａに嵌り込むように位置調整してから下げることによってパン容器支持部１４に取り付けられる。すなわち、パン容器支持部１４に取り付けられたパン容器８０は、係合溝１４ａと係合突起８３ａによって、水平方向（ブレード回転軸８２と略垂直な平面方向）の位置決めがなされた状態となっており、パン容器８０は焼成室３０内でほとんど回転できないようになっている。なお、係合突起８３ａの周方向の幅は、対応する係合溝１４ａの周方向の幅とほぼ同サイズ（係合溝１４ａより若干小さい）となるように形成されている。
【００５４】
なお、４つの係合溝１４ａ及び４つの係合突起８３ａの周方向のサイズはいずれも同じとしてもよいが、本実施形態においては、隣り合う係合溝１４ａ、及び、隣り合う係合突起８３ａの周方向の幅は異なるものとなっており、１つ飛ばしで同一のサイズとなっている。これは、焼成室３０に収容されるパン容器８０を、本来の方向から９０°回転した方向（誤った方向）にセットしないようにするためである。
【００５５】
また、係合溝１４ａ及び係合突起８３ａは位置決めできるように設けられればよく、その数やサイズは適宜変更可能である。更に、パン容器支持部１４の内壁に係合突起、パン容器８０の台座８３に係合溝を設ける構成等としても構わない。
【００５６】
図５（図４も参照）に示すように、パン容器支持部１４の内部には、係合溝１４ａに取り囲まれるように、原動軸１１の上端に固定される本体側接続部１７が設けられている。本体側接続部１７は、略円盤状の第１の支持部１７ａと、第１の支持部１７ａの上面外周寄りに設けられる同一形状の２つの突出部１７ｂとを有している。２つの突出部１７ｂは、第１の支持部１７ａの中心（原動軸１１）に対して略対称位置に設けられている。突出部１７ｂは、その両側面に凹部１７ｃが形成されている。
【００５７】
図６及び図７（図４も参照）に示すように、ブレード回転軸８２の下端（パン容器８０の底部から外面側に突き出ている側の先端部）には容器側接続部８４が固定されている。後述の内容から明らかになるように、容器側接続部８４は、本体側接続部１７とともに原動軸１１の回転動力（換言すればモータ５０、６０の回転動力）をブレード回転軸８２に伝達するカップリングを構成する。
【００５８】
容器側接続部８４は、略円盤状の第２の支持部８４ａと、第２の支持部８４ａから水平方向（ブレード回転軸８３に対して略垂直方向）に延びる２つの腕部８４ｂとを有している。２つの腕部８４ｂは、第２の支持部８４ａの中心（ブレード回転軸８３）に対して略対称位置に設けられている。断面視略かまぼこ状に設けられる腕部８４ｂの両側面には、凸部８４ｃが形成されている。
【００５９】
パン容器８０がパン容器支持部１４に取り付けられた時点（パン容器８０が焼成室３０に収容された時点）において、本体側接続部１７の突出部１７ｂと容器側接続部８４の腕部８４ｂとは必ずしも係合状態とはならないが、原動軸１１が回転することにより、図７に示すように、両者は係合状態となる。この係合状態では、腕部８４ｂの凸部８４ｃが突出部１７ｂの凹部１７ｃに嵌り込んだ状態となる。
【００６０】
このために、ブレード回転軸８２の回転中にパン容器８０が上向き（浮き上がる方向）に力を受けても、腕部８４ｂ（の一部）が突出部１７ｂに引っ掛かってパン容器８０は浮き上がらない。また、パン容器８０は、上述の係合溝１４ａと係合突起８３ａとで水平面内で回転しないように固定されている。このため、本実施形態の自動製パン器１では、本体側接続部１７と容器側接続部８４とで構成されるカップリングによって、原動軸１１の回転動力をブレード回転軸８２に安定して伝達することが可能となっている。
【００６１】
ところで、後述のように本実施形態の自動製パン器１では、粉砕工程と練り工程で原動軸１１の回転方向を逆とする構成を採用している。この点、本実施形態では、突出部１７ｂの両側面に凹部１７ｃを、腕部８４ｂの両側面に凸部８４ｃを設ける構成となっているために、原動軸１１がいずれの方向に回転しても、突出部１７ｂと腕部８４ｂとは、凸部８４ｃが凹部１７ｃに嵌り込んだ状態で係合する。なお、図７（ａ）と図７（ｂ）とでは、この点をわかり易くするために、原動軸１１の回転方向が違う場合を想定して描いている。図７（ａ）は、上から見た場合に原動軸１１が時計方向Ｒ１に回転する場合を想定しており、図７（ｂ）は、上から見た場合に原動軸１１が反時計方向Ｒ２に回転する場合を想定している。
【００６２】
なお、突出部１７ｂの上面には傾斜面１７ｄ（図７（ｂ）参照）が形成されている。これは以下の理由による。すなわち、パン容器８０を焼成室３０に収容する際に、腕部８４ｂが突出部１７ｂにぶつかる場合がある。この点、本実施形態においては、突出部１７ｂに当接した腕部８４ｂは、傾斜面１７ｄの存在により、本体側接続部１７を構成する第１の支持部１７ａに回転方向の力を加えることになる。このため、第１の支持部１７ａが回転して、突出部１７ｂと腕部８４ｂとの衝突状態が解消され、単にパン容器８０を下に押し込むだけで、パン容器８０をパン容器支持部１４に取り付けられる。
【００６３】
また、本実施形態では、突出部１７ｂに凹部１７ｃ、腕部８４ｂに凸部８４ｃを形成する構成とした。しかし、本発明はこの構成に限定されない。要は、突出部１７ｂと腕部８４ｂとが、突出部１７ｂに対して腕部８４ｂの方が下となる部分が生じるように重なり合っていればよく、突出部１７ｂに凸部、腕部８４ｂに突出部１７ｂの凸部に嵌合する凹部を設ける構成としても構わない。
【００６４】
また、突出部１７ｂと腕部８４ｂとの数及び配置は、本実施形態の構成に限定されず、カップリングとしての機能が得られる範囲で適宜変更して構わない。更に、本実施形態では、腕部８４ｂが第２の支持部８４ａから延出する構成となっているが、ブレード回転軸８２から直接延出する構成であっても構わない。
【００６５】
ブレード回転軸８２のパン容器８０内部に突出する部分には、その上からブレードユニット９０が着脱可能に取り付けられるようになっている。このブレードユニット９０の構成について、図８から図１２を参照しながら説明する。なお、図８は、本実施形態の自動製パン器が備えるブレードユニットの構成を示す概略斜視図である。図９は、本実施形態の自動製パン器が備えるブレードユニットの構成を示す概略分解斜視図である。図１０は、本実施形態の自動製パン器が備えるブレードユニットの構成を示す図で、図１０（ａ）は概略側面図、図１０（ｂ）は図１０（ａ）のＡ−Ａ位置における断面図である。図１１は、本実施形態の自動製パン器が備えるブレードユニットを下から見た場合の概略平面図で、図１１（ａ）は混練ブレードが折り畳み姿勢にある場合の図、図１１（ｂ）は混練ブレードが開き姿勢にある場合の図である。図１１においては、後述のガードが取り外された状態を示している。図１２は、本実施形態の自動製パン器が備えるブレードユニットの動作を説明するための図で、パン容器を上から見た場合の図である。図１２（ａ）は混練ブレードが折り畳み姿勢にある場合の図、図１２（ｂ）は混練ブレードが開き姿勢にある場合の図である。
【００６６】
ブレードユニット９０は、大きくは、ユニット用シャフト９１と、ユニット用シャフト９１に相対回転不能且つ着脱可能に取り付けられる粉砕ブレード９２と、ユニット用シャフト９１に相対回転可能且つ粉砕ブレード９２を覆うように取り付けられる平面視略円形のドーム状カバー９３と、を備える構成となっている（例えば、図８〜図１０参照）。ブレードユニット９０をブレード回転軸８２に取り付けた状態において、粉砕ブレード９２は、パン容器８０の凹部８１底面より少し上の箇所に位置する。また、粉砕ブレード９０及びドーム状カバー９３のほぼ全体は凹部８１に収容される。
【００６７】
ユニット用シャフト９１は、例えばステンレス鋼板等の金属によって形成される略円柱状の部材であり、一方端（図９及び図１０の下端）に開口が設けられ、その内部は中空となっている。また、ユニット用シャフト９１の下部側には、ユニット用シャフト９１を直径方向に横断する溝９１ａが形成されている（例えば図９参照）。ユニット用シャフト９１をブレード回転軸８２の上から嵌め込んだ（被せた）場合に、ブレード回転軸８２を水平に貫くピン（図示せず）が溝９１ａに係合し、ユニット用シャフト９１をブレード回転軸８２に相対回転不能に連結する。
【００６８】
なお、図１０（ｂ）に示すように、ブレード回転軸８２（破線で示す）の上面（略円形状）の中央部に設けられる凸部８２ａと係合するように、ユニット用シャフト９１の上部側内面の中央部には凹部９１ｂが形成されている。これにより、ユニット用シャフト９１とブレード回転軸８２との中心を合わせた状態で、ブレードユニット９０をブレード回転軸８２に容易に取り付けることができ、ブレードを回転する際に不要なガタツキ等が発生することを抑制できる。本実施形態では、ブレード回転軸８２側に凸部８２ａ、ユニット用シャフト９１側に凹部９１ｂを設ける構成としたが、これとは逆に、ブレード回転軸８２側に凹部、ユニット用シャフト９１側に凸部を設ける構成としても構わない。
【００６９】
穀物粒粉砕用の粉砕ブレード９２は例えばステンレス鋼板によって形成され、その形状は例えば飛行機のプロペラのようになっている。粉砕ブレード９２の中心部には、図９に示すように、平面視略矩形状の開口９２ａが形成されている。粉砕ブレード９２は、ユニット用シャフト９１の下部側から、開口９２ａにユニット用シャフト９１を嵌め込むようにして取り付けられている。
【００７０】
ユニット用シャフト９１の下部側は、円柱の側面を削ったような形状となっており、下から見た場合に、粉砕ブレード９２の開口９２ａとほぼ同形状（略矩形状）となっている。また、ユニット用シャフト９１の下部側を下から見た場合の面積は、開口９２ａより、ほんの僅かだけ小さくなっている。このような形状を採用しているために、粉砕ブレード９２はユニット用シャフト９１に相対回転不能に取り付けられる。なお、上述のようにユニット用シャフト９１はブレード回転軸８２に取り付けられるものであり、本実施形態では、粉砕ブレード９２はユニット用シャフト９１を介して間接的にブレード回転軸８２に取り付けられることになる。粉砕ブレード９２の下部側には抜け止め用のストッパ部材９４がユニット用シャフト９１に嵌め込まれるために、粉砕ブレード９２がユニット用シャフト９１から脱落することはない。
【００７１】
粉砕ブレード９１を囲んで覆い隠すように配置されるドーム状カバー９３は、例えばアルミニウム合金のダイキャスト成型品からなり、その内面側には、ベアリング９５（本実施形態では転がり軸受けからなる）を収容する凹状の収容部９３１（図１０（ｂ）参照）が形成されている。換言すると、この収容部９３１を形成するために、ドーム状カバー９３は、それを外面から見た場合に、中央部に略円柱状の凸部９３ａが形成された構成となっている。なお、凸部９３ａには開口が形成されておらず、収容部９３１に収容されるベアリング９５はその側面及び上面が収容部９３１の壁面に囲い込まれた状態となっている。
【００７２】
ベアリング９５は上下に抜け止めリング９６ａ、９６ｂが配置された状態で、その内輪９５ａがユニット用シャフト９１に相対回転不能に取り付けられている（内輪９５ａ内側の貫通孔にユニット用シャフト９１が圧入されている）。また、ベアリング９５は、その外輪９５ｂの外壁が収容部９３１の側壁に固定されるように、収容部９３１に圧入されている。このベアリング９５（内輪９５ａが外輪９５ｂに対して相対回転する）の介在によって、ドーム状カバー９３はユニット用シャフト９１に相対回転可能に取り付けられている。なお、上述のようにユニット用シャフト９１はブレード回転軸８２に取り付けられるものであり、本実施形態では、ドーム状カバー９３はユニット用シャフト９１を介して間接的にブレード回転軸８２に取り付けられることになる。
【００７３】
また、ドーム状カバー９３の収容部９３１には、外部からベアリング９５内に異物（例えば穀物粒の粉砕時に用いられる液体や粉砕により得られたペースト状物等）が入り込まないように、例えばシリコン系或いはフッ素系の材料によって形成されるシール材９７及び、このシール材９７を保持する金属製のシールカバー９８が、ベアリング９５の下部側から圧入されている。シールカバー９８は、ドーム状カバー９３への固定が確実となるように、リベット９９によってドーム状カバー９３に固着されている。このリベット９９による固定は行わなくてもよいが、確実な固定を得るために、本実施形態のように構成するのが好ましい。なお、シール材９７及びシールカバー９８はシール手段として機能する。
【００７４】
ドーム状カバー９３の外面には、凸部９３ａに隣接する箇所に垂直方向に延びるように配置された支軸１００（図９参照）により、平面形状「く」の字形の混練ブレード１０１（例えばアルミニウム合金のダイキャスト成型品からなる）が取り付けられている。混練ブレード１０１は、支軸１００に相対回転不能に取り付けられており、ドーム状カバー９３に相対回転可能に取り付けられる支軸１００と動きを共にする。換言すると、混練ブレード１０１は、ドーム状カバー９３に対して相対回転可能に取り付けられた構成となっている。
【００７５】
混練ブレード１０１の先端（支軸１００を中心として混練ブレード１０１を回転したときに最も大きな円を描く部分を想定）側近傍の一方面には、図８〜図１２に示すように緩衝材１０７が取り付けられている。緩衝材１０７は、混練ブレード１０１の先端から僅かに突出するように設けられている（例えば図１１（ｂ）参照）。なお、本実施形態では３ｍｍ程度突出するように設けられている。
【００７６】
緩衝材１０７の固定は、混練ブレード１０１の一方面と固定用板１０８とで緩衝材１０７を挟持した状態とし、混練ブレード１０１の他方面側から挿入されるリベット１０９のカシメで得られる構成となっている。なお、本実施形態ではリベット１０９の数を２つとしているが、その数が限定されないのは言うまでもない。
【００７７】
この緩衝材１０７は、混練ブレード１０１が詳細は後述する開き姿勢となった場合に、パン容器８０（の内壁）と直接接触しないように配置されている。混練ブレード１０１とパン容器８０とが直接接触すると、それらの間の干渉が原因となって破損が発生する可能性があり、このような破損を防止すべく緩衝材１０７を設ける構成としている。
【００７８】
本実施形態の自動製パン器１においては、パン容器８０及び混練ブレード１０１の表面にはフッ素コーティングが施されている。このため、本実施形態の緩衝材１０７は、このフッ素コーティングが混練ブレード１０１とパン容器８０との接触で剥がれないように設けられたものといえる。そして、この点から、緩衝材１０７を構成する材料としては、フッ素コーティングを剥がさないようにコーティング材よりも柔らかい材料が好ましく、例えば、シリコーンゴムやＴＰＥ（Thermoplastic Elastomers；熱可塑性エラストマ）等が用いられる。また、緩衝材１０７は防音対策としても設けられているが、この点は後述する。
【００７９】
なお、以上においては、緩衝材１０７はリベット１０９で混練ブレード１０１に固定する構成とした。しかし、緩衝材１０７の固定方法はリベット１０９による固定に限定されず、場合によっては接着固定等でもよい。また、以上では、緩衝材１０７と混練ブレード１０１とを別部材としているが、緩衝材１０７は、例えばインサート成型等の手法によって、混練ブレード１０１と一体的に構成しても構わない。
【００８０】
また、以上においては、緩衝材１０７を混練ブレード１０１の先端側の一方面に、混練ブレード１０１の先端から突出するように設けたが、この構成に限定されない。すなわち、緩衝材１０７は、混練ブレード１０１が開き姿勢となった場合に混練ブレード１０１とパン容器８０とが直接接触しないように設けられればよい。例えば、緩衝材１０７の厚みを厚くして、緩衝材１０７が混練ブレード１０１の先端から突出しない構成とすることも可能である。また、緩衝材１０７を混練ブレード１０１の先端に被せる構成（この場合は、混練ブレードの両面に緩衝材が存在する）等としてもよい。
【００８１】
また、以上においては、緩衝材１０７を混練ブレード１０１側に配設する構成としたが、この構成に限定される趣旨ではない。すなわち、緩衝材１０７はパン容器８０の内壁に配設される構成としても構わない。この場合も、混練ブレード１０１とパン容器８０とが直接接触するのを防止できる。
【００８２】
本実施形態では、ドーム状カバー９３の外面に、混練ブレード１０１に並ぶように補完混練ブレード１０２（例えばアルミニウム合金のダイキャスト成型品からなる）が固定配置されている。この補完混練ブレード１０２は、必ずしも設ける必要がないが、パン生地を練り上げる練り工程における混練効率を高めるために設けるのが好ましい。
【００８３】
ここで、混練ブレード１０１の動作について説明する。混練ブレード１０１は、支軸１００と共に支軸１００の軸線周りに回転し、図８、図１０、図１１（ａ）及び図１２（ａ）に示す折り畳み姿勢と、図１１（ｂ）及び図１２（ｂ）に示す開き姿勢との２姿勢をとる。折り畳み姿勢では、混練ブレード１０１の下縁から垂下した突起１０１ａ（図９参照）がドーム状カバー９３の上面（外面）に設けられた第１のストッパ部９３ｂに当接し、混練ブレード１０１はそれ以上ドーム状カバー９３に対し反時計方向（上から見た場合を想定）の回動を行うことができない。この折り畳み姿勢では、混練ブレード１０１の先端がドーム状カバー９３から少し突き出している。
【００８４】
この姿勢（図１２（ａ）の状態）から混練ブレード１０１がドーム状カバー９３に対して時計方向（上から見た場合を想定）に回動して図１２（ｂ）に示す開き姿勢になると、混練ブレード１０１の先端はドーム状カバー９３から大きく突き出す。この開き姿勢における混練ブレード１０１の開き角度は、ドーム状カバー９３の内面に設けられる第２のストッパ部９３ｃ（図１１参照）によって制限される。詳細は後述する第２係合体１０３ｂ（支軸１００に固定される）が、ドーム状カバー９３の内面に設けられる第２のストッパ部９３ｃに当って回転できなくなった時点で、混練ブレード１０１は最大開き角度となる。
【００８５】
なお、混練ブレード１０１が折り畳み姿勢となっている場合には、例えば図８や図１０に示すように補完混練ブレード１０２は混練ブレード１０１に整列し、あたかも「く」の字形状の混練ブレード１０１のサイズが大型化したようになる。
【００８６】
ところで、ユニット用シャフト９１には、図９に示すように、粉砕ブレード９２とシールカバー９８との間にカバー用クラッチ１０３を構成する第１係合体１０３ａが取り付けられている。例えば亜鉛ダイカストからなる第１係合体１０３ａには略矩形状の開口１０３ａａが形成されており、この開口１０３ａａにユニット用シャフト９１の下部側の平面視略矩形状部分が嵌め込まれることにより、第１係合体１０３ａはユニット用シャフト９１に相対回転不能に取り付けられている。この第１係合体１０３ａは粉砕ブレード９２よりも先に、ユニット用シャフト９１の下側から嵌め込まれ、ストッパ部材９４によって、粉砕ブレード９２と共にユニット用シャフト９１からの脱落が防止されている。なお、本実施形態では、第１係合体１０３ａとシールカバー９３との間には、第１係合体１０３ａの劣化防止等を考慮してワッシャ１０４を配置する構成としているが、このワッシャ１０４は必ずしも設けなくてもよい。
【００８７】
また、混練ブレード１０１が取り付けられる支軸１００の下部側には、カバー用クラッチ１０３を構成する第２係合体１０３ｂが取り付けられている。例えば亜鉛ダイカストからなる第２係合体１０３ｂには略矩形状の開口１０３ｂａが形成されており、この開口１０３ｂａに支軸１００の下部側の平面視略矩形状部分が嵌め込まれることにより、第２係合体１０３ｂは支軸１００に相対回転不能に取り付けられている。なお、本実施形態では、第２係合体１０３ｂの上側に、第２係合体１０３ｂの劣化防止等を考慮してワッシャ１０５を配置する構成としているが、このワッシャ１０５は必ずしも設けなくてもよい。
【００８８】
第１係合体１０３ａと第２係合体１０３ｂとで構成されるカバー用クラッチ１０３は、ブレード回転軸８２の回転動力をドーム状カバー９３に伝達するか否かを切り替えるクラッチとして機能する。カバー用クラッチ１０３は、混練モータ５０が原動軸１１を回転させるときのブレード回転軸８２の回転方向（この回転方向を「正方向回転」とする。図１１では反時計方向回転、図１２では時計方向回転となる。）において、ブレード回転軸８２の回転動力をドーム状カバー９３に伝達する。逆に、粉砕モータ６０が原動軸１１を回転させるときのブレード回転軸８２の回転方向（この回転方向を「逆方向回転」とする。図１１では時計方向回転、図１２では反時計方向回転となる。）においては、カバー用クラッチ１０３は、ブレード回転軸８２の回転動力をドーム状カバー９３に伝達しない。以下、このカバー用クラッチ１０３の動作について更に詳細に説明する。
【００８９】
混練ブレード１０１が折り畳み姿勢にある場合（例えば図１１（ａ）、図１２（ａ）の状態）、第２係合体１０３ｂの係合部１０３ｂｂは第１係合体１０３ａの係合部１０３ａｂ（本実施形態では２つあるが１つでもよい）の回転軌道に干渉する角度となる（図１１（ａ）の破線参照）。このため、ブレード回転軸８２が正方向回転すると、第１係合体１０３ａと第２係合体１０３ｂは係合し、ブレード回転軸８２の回転動力がドーム状カバー９３に伝達される。
【００９０】
一方、混練ブレード１０１が開き姿勢にある場合（例えば図１１（ｂ）、図１２（ｂ）の状態）、第２係合体１０３ｂの係合部１０３ｂｂは第１係合体１０３ａの係合部１０３ａｂの回転軌道から逸脱した角度となる（図１１（ｂ）の破線参照）。このために、ブレード回転軸８２が回転しても、第１係合体１０３ａと第２係合体１０３ｂは係合しない。従って、ブレード回転軸８２の回転動力はドーム状カバー９３に伝達されない。
【００９１】
例えば図８及び図９に示すように、ドーム状カバー９３には、カバー内空間とカバー外空間を連通する窓９３ｄが形成される。窓９３ｄは粉砕ブレード９２に並ぶ高さか、それよりも上の位置に配置される。なお、本実施形態では、計４個の窓９３ｄが９０°間隔で並んでいるが、それ以外の数と配置間隔を選択することもできる。
【００９２】
また、ドーム状カバー９３内面には、各窓９３ｄに対応して計４個のリブ９３ｅが形成されている。各リブ９３ｅはドーム状カバー９３の中心近傍から外周の環状壁まで半径方向に斜めに延び、４個合わさって一種の巴形状を構成する。また、各リブ９３ｅは、それに向かって押し寄せるパン原料に対面する側が凸となるように湾曲している。
【００９３】
また、ドーム状カバー９３の下面には、着脱可能なガード１０６が取り付けられている。このガード１０６は、ドーム状カバー９３の下面を覆って粉砕ブレード９２にユーザの指が接近するのを阻止する。ガード１０６は、例えば耐熱性を有するエンジニアリングプラスチックによって形成され、例えばＰＰＳ（ポリフェニレンサルファイド）等の成型品とできる。なお、このガード１０６は設けなくても構わないが、ユーザが安心して使用できるように設けるのが好ましい。
【００９４】
例えば図９に示すように、ガード１０６の中心には、ユニット用シャフト９１に固定されるストッパ部材９４を通すリング状のハブ１０６ａがある。また、ガード１０６の周縁にはリング状のリム１０６ｂがある。ハブ１０６ａとリム１０６ｂとは複数のスポーク１０６ｃで連結される。スポーク１０６ｃ同士の間は、粉砕ブレード９２によって粉砕される穀物粒を通す開口部１０６ｄとなる。開口部１０６ｄは、指が通り抜けられない程度の大きさとなっている。
【００９５】
ガード１０６は、ドーム状カバー９３に取り付けられた時、粉砕ブレード９２と近接状態となる。そして、あたかも、ガード１０６が回転式電気かみそりの外刃で、粉砕ブレード９２が内刃のような形になる。
【００９６】
リム１０６ｂの周縁には、９０°間隔で計４個（この構成に限定されないのは言うまでもない）の柱１０６ｅが一体成形されている。この柱１０６ｅのガード１０６中心側を向いた側面には、一端が行き止まりになった水平な溝１０６ｅａが形成される。この溝１０６ｅａにドーム状カバー９３の外周に形成される突起９３ｆ（実施形態では、４５°間隔で計８個配置されている）を係合することによって、ガード１０６はドーム状カバー１０６に取り付けられる。なお、溝１０６ｅａと突起９３ｆはバヨネット結合を構成するように設けられている。
【００９７】
以上のように、本実施形態の自動製パン器１では、粉砕ブレード９２及び混練ブレード１０１を１つのユニット（ブレードユニット９０）内に設ける構成としているので、その取り扱いが便利である。ユーザは、ブレードユニット９０をブレード回転軸８２から簡単に引き抜くことが可能であり、製パン作業終了後にブレードの洗浄を手軽に行うことができる。また、ブレードユニット９０が備える粉砕ブレード９２は、ユニット用シャフト９１に着脱可能に取り付けられるものであり、その量産が行いやすく、ブレード交換等のメンテナンス性にも優れる。
【００９８】
また、本実施形態の自動製パン器１では、パン容器８０に水等の液体が入れられるために、ユニット用シャフト９１に対してドーム状カバー９３を相対回転可能とするベアリング９５に液体が入り込まないように、ベアリング９５は密閉する必要がある。この点、自動製パン器１では、ベアリング９５がドーム状カバー９３に設けられる凹状の収容部９３１に収容されているために、ドーム状カバーの内面側にのみシール手段（シール材９７及びシールカバー９８）を設ければベアリング９５を密閉できる。このため、ベアリング９５の上下にシール手段を設ける必要がなく、ベアリング９５のシール構造の小型化が図れる。このため、自動製パン器１では、焼き上がったパンの形状に対する悪影響（例えば、パンの底面が大きく凹む等）を抑制することが可能になる。
【００９９】
図１３は、本実施形態の自動製パン器の構成を示すブロック図である。図１３に示すように、自動製パン器１における制御動作は制御装置１２０によって行われる。制御装置１２０は、例えば、ＣＰＵ（Central Processing Unit）、ＲＯＭ（Read Only Memory）、ＲＡＭ（Random Access Memory）、Ｉ／Ｏ（input/output）回路部等からなるマイクロコンピュータ（マイコン）によって構成される。この制御装置１２０は、焼成室３０の熱の影響を受け難い位置に配置するのが好ましい。また、制御装置１２０には、時間計測機能が備えられており、パンの製造工程における時間的な制御が可能となっている。
【０１００】
制御装置１２０には、上述の操作部２０と、焼成室３０の温度を検知する温度センサ１５と、混練モータ駆動回路１２１と、粉砕モータ駆動回路１２２と、ヒータ駆動回路１２３と、第１のソレノイド駆動回路１２４と、第２のソレノイド駆動回路１２５と、が電気的に接続されている。
【０１０１】
混練モータ駆動回路１２１は、制御装置１２０からの指令の下で混練モータ５０の駆動を制御するための回路である。また、粉砕モータ駆動回路１２２は、制御装置１２０からの指令の下で粉砕モータ６０の駆動を制御するための回路である。ヒータ駆動回路１２３は、制御装置１２０からの指令の下でシーズヒータ３１の動作を制御するための回路である。第１のソレノイド駆動回路１２４は、制御装置１２０からの指令の下で、パンの製造工程の途中で一部のパン原料を自動投入する際に駆動する自動投入用ソレノイド１６の駆動を制御するための回路である。第２のソレノイド駆動回路１２５は、制御装置１２０からの指令の下でクラッチ５６（図３参照）の状態を切り替えるクラッチ用ソレノイド７３（図３参照）の駆動を制御するための回路である。
【０１０２】
制御装置１２０は、操作部２０からの入力信号に基づいてＲＯＭ等に格納されたパンの製造コース（製パンコース）に係るプログラムを読み出し、混練モータ駆動回路１２１を介して混練モータ５０による混練ブレード１０１及び補完混練ブレード１０２の回転の制御、粉砕モータ駆動回路１２２を介して粉砕モータ６０による粉砕ブレード９２の回転の制御、ヒータ駆動回路１２３を介してシーズヒータ３１による加熱動作の制御、第１のソレノイド駆動回路１２４を介して自動投入用ソレノイド１６による可動フック４２ｃの動作制御、第２のソレノイド駆動回路１２５を介してクラッチ用ソレノイド７３によるクラッチ５６の切替制御を行いながら、自動製パン器１にパンの製造工程を実行させる。
（自動製パン器の動作）
次に、以上のように構成される自動製パン器１によってパンを製造する場合の自動製パン器１の動作について説明する。ここでは、自動製パン器１によって、米粒を出発原料に用いてパンを製造する場合を例に自動製パン器１の動作を説明する。
【０１０３】
米粒を出発原料に用いる場合には、米粒用製パンコースが実行される。図１４は自動製パン器によって実行される米粒用製パンコースの流れを示す模式図である。図１４に示すように、米粒用製パンコースにおいては、浸漬工程と、粉砕工程と、練り（捏ね）工程と、発酵工程と、焼成工程と、がこの順番で順次に実行される。
【０１０４】
米粒用製パンコースを開始するにあたって、ユーザは、パン容器８０のブレード回転軸８２にユニット用シャフト９１を被せることによって、ブレードユニット９０をブレード回転軸８２に取り付ける。そして、ユーザは、米粒、水、調味料（例えば食塩、砂糖、ショートニング等）をそれぞれ所定量ずつ計量してパン容器８０に入れる。
【０１０５】
また、ユーザは、パンの製造工程の途中で自動投入されるパン原料を計量してパン原料収納容器４２の容器本体４２ａに入れる。そして、収納すべきパン原料を容器本体４２ａに収納したら、可動フック４２ｃによって容器蓋４２ａを支えることにより、容器蓋４２ｂによって容器本体４２ａの開口が閉じられた状態とする。
【０１０６】
なお、パン原料収納容器４２に収納されるパン原料としては、例えば、グルテン、ドライイースト等が挙げられる。グルテンの代わりに、例えば小麦粉、増粘剤（グアガム等）及び上新粉のうちの少なくとも１つをパン原料収納容器４２に収納するようにしてもよい。また、グルテン、小麦粉、増粘剤、上新粉等は用いずに、例えばドライイーストのみをパン原料収納容器４２に収納するようにしてもよい。更に、場合によっては、例えば食塩、砂糖、ショートニングといった調味料についてもパンの製造工程の途中で自動投入すべく、例えばグルテン、ドライイーストと共にパン原料収納容器４２に収納するようにしてもよい。この場合には、パン容器８０に予め投入しておくパン原料は米粒及び水（単なる水の代わりに、例えばだし汁のような味成分を有する液体、果汁やアルコールを含有する液体等でもよい）となる。
【０１０７】
この後、ユーザは、パン容器８０を焼成室３０に入れ、更に、パン原料収納容器４２を蓋４０の所定位置に取り付ける。そして、ユーザは蓋４０を閉じ、操作部２０によって米粒用製パンコースを選択し、スタートキーを押す。これにより、制御装置１２０によって米粒を出発原料に用いてパンを製造する米粒用製パンコースが開始される。
【０１０８】
米粒用製パンコースがスタートされると、制御装置１２０の指令によって浸漬工程が開始される。浸漬工程では、パン容器８０に予め投入されたパン原料が静置状態とされ、この静置状態が予め定められた所定時間（本実施形態では５０分）維持される。この浸漬工程は、米粒に水を含ませることによって、その後に行われる粉砕工程において、米粒を芯まで粉砕しやすくすることを狙う工程である。
【０１０９】
なお、米粒の吸水速度は水の温度によって変動し、水温が高いと吸水速度が高まり、水温が低いと吸水速度が低下する。このために、浸漬工程の時間は、例えば自動製パン器１が使用される環境温度等によって変動させるようにしてもよい。これにより、米粒の吸水度合いのばらつきを抑制できる。また、浸漬時間を短時間とするために、浸漬工程時にシーズヒータ３１に通電して焼成室３０の温度を高めるようにしてもよい。
【０１１０】
また、浸漬工程においては、その初期段階で粉砕ブレード９２を回転させ、その後も断続的に粉砕ブレード９２を回転させるようにしてもよい。このようにすると、米粒の表面に傷をつけることができ、米粒の吸液効率を高められる。
【０１１１】
上記所定時間が経過すると、制御装置１２０の指令によって、浸漬工程が終了され、米粒を粉砕する粉砕工程が開始される。この粉砕工程では、米粒と水とが含まれる混合物の中で粉砕ブレード９２が高速回転される。具体的には、制御装置１２０は、粉砕モータ６０を制御してブレード回転軸８２を逆方向回転させ、米粒と水とが含まれる混合物の中で粉砕ブレード９２の高速回転を実行させる。
【０１１２】
なお、粉砕モータ６０を用いて粉砕ブレード９２を回転させる場合、制御装置１２０は、クラッチ用ソレノイド７３を駆動させて、クラッチ５６が動力遮断を行うようにする（図３（ａ）の状態とする）。上述したように、このように制御しないとモータ破損の可能性があるからである。
【０１１３】
粉砕ブレード９２を回転させるために、ブレード回転軸８２が逆方向回転された場合、ドーム状カバー９３もブレード回転軸８２の回転に追随して回転を開始するが、次のような動作によってドーム状カバー９３の回転はすぐに阻止される。粉砕ブレード９２を回転させるためのブレード回転軸８２の回転に伴うドーム状カバー９３の回転方向は、図１２において反時計方向であり、混練ブレード１０１は、それまで折り畳み姿勢（図１２（ａ）に示す姿勢）であった場合には、米粒と水が含まれる混合物から受ける抵抗で開き姿勢（図１２（ｂ）に示す姿勢）に転じていく。
【０１１４】
混練ブレード１０１が開き姿勢になると、カバー用クラッチ１０３は、第２係合体１０３ｂの係合部１０３ｂｂが第１係合体１０３ａの係合部１０３ａｂの回転軌道（図１１の破線参照）から逸脱するために、ブレード回転軸８２とドーム状カバー９３の連結を切り離す。同時に、開き姿勢になった混練ブレード１０１は、図１２（ｂ）に示すように、その先端側に設けられる緩衝材１０７がパン容器８０の内側壁（詳細には粉砕効率を向上するためにパン容器８０の内壁に設けられた畝状の凸部８０ｂ）に当接するために、ドーム状カバー９３の回転は阻止される。なお、上記畝状の凸部８０ｂは必ずしも設けなくてもよく、これが設けられていない場合には、パン容器８０の他の部分と緩衝材１０７が当接することになる。
【０１１５】
上述のように、緩衝材１０７の存在により、混練ブレード１０１とパン容器８０とが直接接触しないので、接触部分においてフッ素コーティングが剥がれるのを防止できる。また、粉砕工程においては、粉砕ブレード９２の回転中に微振動が発生して、緩衝材１０７が設けられていない場合には、混練ブレード１０１とパン容器８０とが繰り返し衝突するといった事態が発生し、前述の剥がれのみならず音が発生するといった問題も生じる。この点、本実施形態の自動製パン器１では、緩衝材１０７の存在によりこの音の発生も抑制できる。
【０１１６】
粉砕工程における米粒の粉砕は、先に行われた浸漬工程によって米粒に水が浸み込んだ状態で実行されるために、米粒を芯まで容易に粉砕することができる。粉砕工程における粉砕ブレード９２の回転は本実施形態では間欠回転とされる。この間欠回転は、例えば３０秒回転して５分間停止するというサイクルで行われ、このサイクルが１０回繰り返される。なお、最後のサイクルでは、５分間の停止は行わない。粉砕ブレード９２の回転は連続回転としてもよいが、例えばパン容器８０内の原料温度が高くなり過ぎることを防止する等の目的のために、間欠回転とするのが好ましい。
【０１１７】
粉砕工程においては、米粒の粉砕が回転停止したドーム状カバー９３内で行われるから、米粒がパン容器８０の外に飛び散る可能性が低い。また、回転停止状態にあるガード１０６の開口部１０６ｄからドーム状カバー９３内に入る米粒は、静止したスポーク１０６ｃと回転する粉砕ブレード９２の間でせん断されるので、効率良く粉砕できる。また、ドーム状カバー９３に設けられるリブ９３ｅによって、米粒と水とが含まれる混合物の流動（粉砕ブレード９２の回転と同方向の流動である）が抑制されるので、効率良く粉砕できる。
【０１１８】
また、粉砕された米粒と水とを含む混合物はリブ９３ｅによって窓９３ｄの方向に誘導されて、窓９３ｄからドーム状カバー９３の外に排出される。リブ９３ｅは、それに向かって押し寄せる混合物に対向する側が凸となるように湾曲しているので、混合物はリブ９３ｅの表面に対流しにくく、スムーズに窓９３ｄの方へ流れていく。更に、ドーム状カバー９３内部から混合物が排出されるのと入れ替わりに、凹部８１の上の空間に存在していた混合物が凹部８１に入り、凹部８１からガード１０６の開口部１０６ｄを通ってドーム状カバー９３内に入いる。このような循環をさせつつ粉砕ブレード９２による粉砕を行うので、効率良く粉砕できる。
【０１１９】
なお、自動製パン器１においては所定の時間（本実施形態では５０分）で粉砕工程が終了するようにしている。しかしながら、米粒の硬さのばらつきや環境条件によって粉砕粉の粒度にばらつきが生じることがある。このため、粉砕工程の終了を、粉砕モータ６０の負荷の大きさ（例えば、モータの制御電流等で判断できる）を指標に判断する構成等としても構わない。また、自動製パン器１においては、上述のように、原動軸１１の回転動力をブレード回転軸８２に伝達するカップリングを構成する本体側接続部１７と容器側接続部８４との連結が外れにくいように構成されているために、安定した粉砕動作を行える。
【０１２０】
粉砕工程が終了すると、制御装置１２０の指令によって練り工程が開始される。なお、この練り工程は、イーストが活発に働く温度（例えば３０℃前後）で行う必要がある。このため、所定の温度範囲となった時点で練り工程を開始するようにしてもよい。
【０１２１】
練り工程の開始にあたって、制御装置１２０はクラッチ用ソレノイド７３を駆動して、クラッチ５６が動力伝達を行うようにする（図３（ｂ）の状態）。そして、制御装置１２０は混練モータ５０を制御してブレード回転軸８２を正方向回転させる。ブレード回転軸８２を正方向回転させると、粉砕ブレード９２も正方向に回転し、粉砕ブレード９２の周囲のパン原料が正方向に流動する。それにつられてドーム状カバー９３が正方向（図１２では時計方向）に動くと、混練ブレード１０１は流動していないパン原料から抵抗を受けて、開き姿勢（図１２（ｂ）参照）から折り畳み姿勢（図１２（ａ）参照）へと角度を変えて行く。第２係合体１０３ｂの係合部１０３ｂｂが第１係合体１０３ａの係合部１０３ａｂの回転軌道（図１１の破線参照）に干渉する角度となると、カバー用クラッチ１０３の連結が生じ、ドーム状カバー９３はブレード回転軸８２によって本格的に駆動される態勢に入る。ドーム状カバー９３と折り畳み姿勢になった混練ブレード１０１は、ブレード回転軸８２と一体となって正方向に回転する。
【０１２２】
なお、以上に説明したカバー用クラッチ１０３の連結を確実に行うために、練り工程初期におけるブレード回転軸８２の回転は、間欠回転或いは低速回転とするのが好ましい。また、上述のように、混練ブレード１０１が折り畳み姿勢になると、混練ブレード１０１の延長上に補完混練ブレード１０２が並ぶために、混練ブレード１０１があたかも大型化したかのようになって、パン原料は力強く押される。このため、生地の練り上げをしっかり行える。
【０１２３】
混練ブレード１０１の回転は、練り工程の初期においては非常にゆっくりとされ、段階的に速度が速められるように制御装置１２０によって制御される。混練ブレード１０１の回転が非常にゆっくりである練り工程の初期段階において、制御装置１２０は自動投入用ソレノイド１６を駆動させて、パン原料収納容器４２の可動フック４２ｃが容器蓋４２ｂを支えた状態を解消させる。これにより、容器本体４２ａの開口が開かれて、例えば、グルテン、ドライイースといったパン原料がパン容器８０内に自動投入される。
【０１２４】
上述のように、パン原料収納容器４２は、容器本体４２ａ及び容器蓋４２ｂの内部にコーティング層が設けられて滑りがよくなっており、また、内部に凹凸部が設けられないように工夫されている。更に、パッキン４２ｄの配置方法の工夫により、パン原料がパッキン４２ｄに引っ掛かるという事態も抑制されている。このために、パン原料収納容器４２にはパン原料がほとんど残ることなく、自動投入が完了する。
【０１２５】
なお、本実施形態では、パン原料収納容器４２に収納されるパン原料を、混練ブレード１０１が回転している状態で投入することにしているが、これに限定されず、混練ブレード１０１が停止している状態で投入してもよい。ただし、本実施形態のように、混練ブレード１０１が回転した状態でパン原料を投入するようにした方が、パン原料を均一に分散することができるので好ましい。
【０１２６】
パン原料収納容器４２に収納されたパン原料がパン容器８０に投入された後は、混練ブレード１０１及び補完混練ブレード１０２の回転によって、パン原料は所定の弾力を有する一つにつながった生地（dough）に練り上げられていく。混練ブレード１０１及び補完混練ブレード１０２が生地を振り回してパン容器８０の内壁にたたきつけることにより、混練に「捏ね」の要素が加わることになる。混練ブレード１０１及び補完混練ブレード１０２の回転によりドーム状カバー９３も回転する。ドーム状カバー９３が回転すると、ドーム状カバー９３に形成されるリブ９３ｅも回転するために、ドーム状カバー９３内のパン原料は速やかに窓９３ｄから排出され、混練ブレード１０１及び補完混練ブレード１０２が混練しているパン原料の塊（生地）に同化する。
【０１２７】
なお、練り工程においては、ドーム状カバー９３と共にガード１０６も正方向に回転する。ガード１０６のスポーク１０６ｃは、正方向回転時、ガード１０６の中心側が先行しガード１０６の外周側が後続する形状とされている。このために、ガード１０６は、正方向に回転することにより、ドーム状カバー９３内外のパン原料をスポーク１０６ｃで外側に押しやる。これにより、パンを焼き上げた後に廃棄分となる原料の割合を減らすことができる。
【０１２８】
また、ガード１０６の柱１０６ｅは、ガード１０６が正方向に回転するときに回転方向前面となる側面１０６ｅｂ（図９参照）が上向きに傾斜しているから、混練時、ドーム状カバー９３の周囲のパン原料が柱１０６ｅの前面で上方に跳ね上げられる。このために、パンを焼き上げた後に廃棄分となる原料の割合を減らすことができる。
【０１２９】
自動製パン器１においては、練り工程の時間は、所望の弾力を有するパン生地が得られる時間として実験的に求められた所定の時間（本実施形態では１０分）を採用する構成としている。ただし、練り工程の時間を一定とすると、環境温度等によってパン生地の出来上がり具合が変動する場合がある。このため、例えば、混練モータ５０の負荷の大きさ（例えば、モータの制御電流等で判断できる）を指標に、練り工程の終了時点を判断する構成等としても構わない。
【０１３０】
なお、具材（例えばレーズン、ナッツ、チーズ等）入りのパンを焼く場合には、この練り工程の途中で投入するようにすればよい。また、自動製パン器１においては、上述のように、原動軸１１の回転動力をブレード回転軸８２に伝達するカップリングを構成する本体側接続部１７と容器側接続部８４との連結が外れにくいように構成されているために、安定した練り（混練動作）を行える。
【０１３１】
練り工程が終了すると、制御装置１２０の指令によって発酵工程が開始される。この発酵工程では、制御装置１２０はシーズヒータ３１を制御して、焼成室３０の温度を、発酵が進む温度（例えば３８℃）に維持する。そして、発酵が進む環境下で所定の時間（本実施形態では６０分）放置される。
【０１３２】
なお、場合によっては、この発酵工程の途中で、混練ブレード１０１及び補完混練ブレード１０２を回転してガス抜きや生地を丸める処理を行うようにしても構わない。
【０１３３】
発酵工程が終了すると、制御装置１２０の指令によって焼成工程が開始される。制御装置１２０はシーズヒータ３１を制御して、焼成室３０の温度を、パン焼きを行うのに適した温度（例えば１２５℃）まで上昇させ、焼成環境下で所定の時間（本実施形態では５０分）パンを焼くように制御する。焼成工程の終了については、例えば操作部２０の液晶表示パネルにおける表示や報知音等によってユーザに知らされる。ユーザは、製パン完了を検知すると、蓋４０を開けてパン容器８０を取り出して、パンの製造を完了させる。
【０１３４】
なお、パンの底には混練ブレード１０１及び補完混練ブレード１０２（パン容器８０の凹部８１から上側に突き出ている）の焼き跡が残るが、ドーム状カバー９３とガード１０６は凹部８１の中に収容されるように形成しているために、それらがパンの底に大きな焼き跡を残すようなことはない。
（その他）
以上に示した自動製パン器の実施形態は本発明の一例であり、本発明が適用される自動製パン器の構成は、以上に示した実施形態に限定されるものではない。
【０１３５】
例えば、以上においては、自動製パン器１によって、米粒を出発原料に用いてパンを製造する場合を示したが、本実施形態の自動製パン器は、例えば小麦粉や米粉を出発原料に用いてパンを製造することもできる。そして、小麦粉や米粉を出発原料に用いてパンを製造する場合には、粉砕ブレード９２は不要であるために、以上に示したのとは異なるパン容器（混練ブレードのみがブレード回転軸に取り付けられる従来型のパン容器）を用いるようにしても構わない。
【０１３６】
また、以上に示した実施形態においては、米粒を出発原料に用いる場合を例に、自動製パン器の構成及び動作を説明した。しかし、本発明の自動製パン器は、例えば小麦、大麦、粟、稗、蕎麦、とうもろこし、大豆等の米粒以外の穀物粒を出発原料に使用する場合にも適用可能である。
【０１３７】
また、以上に示した米粒用製パンコースの製造フローは例示であり、他の製造フローとしてもよい。一例を挙げると、粉砕工程の後に、粉砕粉に水を吸水させるために、再度浸漬工程を行ってから練り工程を行う構成等としてもよい。
【０１３８】
また、以上に示した実施形態では、自動製パン器１が粉砕ブレード９２によって穀物粒を粉砕させる場合と、パン生地を練り上げるために混練ブレード１０１を回転させる場合とで、別々のモータを使用する構成とした。しかし、この構成に限定される趣旨ではない。すなわち、例えば１つのモータのみを備える構成とし、粉砕ブレード９２によって穀物粒を粉砕させる場合と、パン生地を練り上げるために混練ブレード１０１を回転させる場合とで、同一のモータを使用する構成としても構わない。
【０１３９】
また、以上に示した実施形態では、粉砕ブレード９２、及び、混練ブレード１０１が配設されるカバー９３をユニット化してブレード回転軸８２に取り付ける構成とした。しかし、この構成に限定されず、例えば粉砕ブレード９２、及び、混練ブレード１０１が配設されるカバー９３を別々にブレード回転軸８２に取り付ける構成等としてもよい。
【０１４０】
また、以上においては、本発明の本体側接続部と容器側接続部で構成されるカップリングが、穀物粒を粉砕する粉砕工程を実行可能な（穀物粒を出発原料としてパンを製造できる）自動製パン器に適用される場合を示した。しかし、これに限らず、本発明の本体側接続部と容器側接続部で構成されるカップリングは、例えば、小麦粉や米粉等の穀物粉を出発原料としてのみパンを製造できる自動製パン器にも適用可能であることは言うまでもない。
【産業上の利用可能性】
【０１４１】
本発明は、家庭用の自動製パン器に好適である。
【符号の説明】
【０１４２】
１  自動製パン器
１０  本体
１４ａ  係合溝（第２の係合部）
１７  本体側接続部（カップリングの一部）
１７ａ  第１の支持部
１７ｂ  突出部
１７ｃ  凹部
１７ｄ  傾斜面
３０  焼成室
５０  混練モータ（第１のモータ）
６０  粉砕モータ（第２のモータ）
８０  パン容器
８２  ブレード回転軸
８３  台座（筒状体）
８３ａ  係合突起（第１の係合部）
８４  容器側接続部（カップリングの一部）
８４ｂ  腕部
８４ｃ  凸部
９２  粉砕ブレード
１０１  混練ブレード
【図１】
2012019819.tif 000003
【図２】
2012019819.tif 000004
【図３】
2012019819.tif 000005
【図４】
2012019819.tif 000006
【図５】
2012019819.tif 000007
【図６】
2012019819.tif 000008
【図７】
2012019819.tif 000009
【図８】
2012019819.tif 000010
【図９】
2012019819.tif 000011
【図１０】
2012019819.tif 000012
【図１１】
2012019819.tif 000013
【図１２】
2012019819.tif 000014
【図１３】
2012019819.tif 000015
【図１４】
2012019819.tif 000016